(57)【特許請求の範囲】
【請求項１】
押圧可能な素材で作られる容器本体と、この容器本体の口部に装着される中栓と、この中栓を覆うようにして前記容器本体の口部に螺着される外キャップとから成り、
前記中栓には、上端が閉塞された円筒形状のノズル支柱に、前記容器本体の軸線に対し斜め上方に傾斜する方向に延びるノズルと、漏斗状のすり鉢部とが設けられ、
このすり鉢部は、前記ノズル直下にノズル開口端の下部周壁が埋まるように設けられ、
前記ノズル支柱の下端には、容器に対する装着部が設けられ、
前記ノズル開口端は、前記すり鉢部の外端部より内側に位置し、このノズル開口端周壁は外キャップの天面に対応する傾斜面に形成され、
前記すり鉢部の下面、ノズル下方の部位には切り欠きが設けられ、
前記外キャップは、ドーム形状の天面の下方に、前記中栓のすり鉢部の上端に当接する第１肩部と、前記中栓の装着部の上に当接する第２肩部とが設けられて成り、
外キャップの螺着時において、外キャップの天面内側がノズル開口端に押圧着すると共に、外キャップの第１肩部が中栓のすり鉢部を、外キャップの第２肩部が中栓の装着部の周縁上端を、それぞれ密着固定することを特徴とする液体注出用容器。
【請求項２】
前記中栓のノズル開口端には、開口孔を横断する水平形状の凹部が設けられ、
前記外キャップの内面第１肩部近傍には、前記ノズル開口端の凹部を閉塞するための凸リブリングが設けられ、
外キャップ螺着時において、第１肩部がすり鉢部を固定し、第２肩部が装着部の周壁上端を固定すると共に、外キャップの凸リブリングとノズル開口端の凹部が密に嵌合して、ノズルを閉塞することを特徴とする、請求項１に記載の液体注出用容器。
【請求項３】
前記中栓のノズル開口端には、開口孔を横断する斜め形状の凹部が設けられ、
前記外キャップの内面第１肩部近傍には、前記ノズル開口端の凹部を閉塞するための、三条ねじを分割してなる凸リブが設けられ、
外キャップ螺着時において、第１肩部が中栓のすり鉢部を固定し、第２肩部が装着部の周壁上端を固定すると共に、外キャップの凸リブとノズル開口端の凹部とが密に嵌合してノズルを閉塞することを特徴とする、請求項１に記載の液体注出用容器。
【発明の詳細な説明】
【０００１】
【産業上の利用分野】
本発明は、トイレ用液体洗浄薬液等の収納液に用いる液体注出用容器に関し、特には弾性変形可能な容器本体を押圧して収納液を注出するようにした容器に関する。
【０００２】
【従来の技術】
従来、この種の液体注出用容器においては、トイレ洗浄用の薬液を収納して便器内縁等の回り込んだ部分にその薬液を吹き付けることができるように、容器本体の軸線に対してノズルの向きを傾斜させ、薬液を斜め上方に注出するようにしたものがある。そして、容器の転倒等により収納液がノズルから不用意に漏れ出さないように、キャップを取り付けて防止するようにしていた。
【０００３】
このような容器の一つとして、例えば実開平６ー６７３５４号公報に開示され、図１２に示すように、容器本体（１０１）の首部開口に装着される中栓（１０３）に対して、斜め上方に向けて突出するノズル（１０８）を設けてそのノズルの先端に注出孔（１１２）を囲む突堤（１１１）を配置し、さらに、中栓（１０３）を覆うキャップ（１１５）を容器本体（１０１）の首部開口に螺着した時に、そのキャップ（１１５）の内面が前記突堤（１１１）と摺接してノズル（１０８）を閉鎖するようにした構成のものがある。
そして、中栓（１０３）におけるノズル（１０８）に対向する反対側の部分と中栓（１０３）を覆うキャップ（１１５）の内面との間に小隙間（１２１）が得られるように形成されていて、キャップ（１１５）を螺着した際に、キャップ内面とノズル先端の突提（１１１）とが摺接すると共に、ノズル部分が僅かに後退できるようにした工夫がなされていた。
すなわち、キャップを螺着する際にキャップ内面に連れてノズル先端が下方に下がるのをそのノズル部分の後退によって防ぎ、ノズル先端の突提（１１１）を適正にキャップ内面に当接させて注出孔（１１２）の閉鎖を図るようにしたものである。
【０００４】
【発明が解決しようとする課題】
ところで、図１２に示す容器の中栓（１０３）とキャップ（１１５）では、収納液を注出した際にノズル（１０８）から垂れた液体が中栓（１０３）の外周に付着して容器本体が汚れるという問題がある。
【０００５】
本発明は、トイレ用液体洗浄薬剤等に用いる液体注出用容器に関する上記のような問題点を除去するためになされたもので、キャップを中栓に被せてから、回し始めた際、初期の段階において外キャップをノズル支柱に正確に位置を合わせて外キャップ本体側が振れることなく、中栓に対するガタ付き量がほとんどなく、かつ、液止めも完全なキャップ構造を有し、なおかつ、液垂れを回収できる液体注出用容器を提供することを目的とする。
【０００６】
【課題を解決するための手段】
本発明は上記目的を達成するために、まず第１の発明では、押圧可能な素材で作られる容器本体と、この容器本体の口部に装着される中栓と、この中栓を覆うようにして前記容器本体の口部に螺着される外キャップとから成り、前記中栓には、上端が閉塞された円筒形状のノズル支柱に、前記容器本体の軸線に対し斜め上方に傾斜する方向に延びるノズルと、漏斗状のすり鉢部とが設けられ、このすり鉢部は、前記ノズル直下にノズル開口端の下部周壁が埋まるように設けられ、前記ノズル支柱の下端には、容器に対する装着部が設けられ、前記ノズル開口端は、前記すり鉢部の外端部より内側に位置し、このノズル開口端周壁は外キャップの天面に対応する傾斜面に形成され、前記すり鉢部の下面、ノズル下方の部位には切り欠きが設けられ、前記外キャップは、ドーム形状の天面の下方に、前記中栓のすり鉢部の上端に当接する第１肩部と、前記中栓の装着部の上端に当接する第２肩部とが設けられて成り、外キャップの螺着時において、外キャップの天面内側がノズル開口端に押圧着すると共に、外キャップの第１肩部が中栓のすり鉢部を、外キャップの第２肩部が中栓の装着部の周縁上端を、それぞれ密着固定することを特徴とする液体注出用容器を提供するものである。
【０００７】
また、第２の発明では、前記中栓のノズル開口端には、開口孔を横断する水平形状の凹部が設けられ、前記外キャップの内面第１肩部近傍には、前記ノズル開口端の凹部を閉塞するための凸リブリングが設けられ、外キャップ螺着時において、第１肩部がすり鉢部を固定し、第２肩部が装着部の周壁上端を固定すると共に、外キャップの凸リブリングとノズル開口端の凹部が密に嵌合して、ノズルを閉塞することを特徴とする、請求項１に記載の液体注出用容器を提供するものである。
【０００８】
さらにまた、第３の発明では、前記中栓のノズル開口端には、開口孔を横断する斜め形状の凹部が設けられ、前記外キャップの内面第１肩部近傍には、前記ノズル開口端の凹部を閉塞するための、三条ねじを分割してなる凸リブが設けられ、外キャップ螺着時において、第１肩部が中栓のすり鉢部を固定し、第２肩部が装着部の周壁上端を固定すると共に、外キャップの凸リブとノズル開口端の凹部とが密に嵌合してノズルを閉塞することを特徴とする、請求項１に記載の液体注出用容器を提供するものである。
【０００９】
【作用】
上記のように本発明によれば、ノズル開口端が、すり鉢部の外端部より内側に位置し、かつ、外キャップ天面に対応する傾斜面に形成されているので、外キャップを螺着すると、ドーム状天面内側がノズルの開口端にピッタリと押圧着して、ノズルは完全に閉塞する。
ノズル開口端が、すり鉢部の外端部より内側に位置し、かつ、開口孔を横断する水平形状の凹部を設け、外キャップの内面第１肩部近傍にノズル開口端の凹部を閉塞するための凸リブリングを設けたので、外キャップを螺着すると、ノズル開口端の凹部と外キャップの凸リブリングが密に嵌合して、ノズルは完全に閉塞する。
ノズル開口端が、すり鉢部の外端部より内側に位置し、かつ、開口孔を横断する斜め形状の凹部を設け、外キャップの内面第１肩部近傍には、ノズル開口端の凹部を閉塞するための、三条ねじを分割してなる凸リブを設けたので、外キャップを螺着すると、ノズル開口端の凹部と外キャップの凸リブが密に係合して、ノズルは完全に閉塞する。
【００１０】
また、ノズル支柱には、ノズル直下に、ノズル開口端の下部周壁が埋まるように、容器本体の軸線に対し斜め上方に傾斜する方向に延びる漏斗状のすり鉢部が設けられているので、収納液を容器本体から注出した際、残液がノズル先端から垂れてもすり鉢部に溜まるのみで口部には垂れてこない。
さらに、外キャップに中栓のすり鉢部の上端に当接する第１肩部と、中栓の装着部の上に当接する第２肩部とを設けたので、外キャップ螺着時においては、外キャップが振れることなく、外キャップを容器本体に無理なく螺合させることができる。
さらにまた、すり鉢部の下面、ノズル下方の部位に切り欠きを設けたので、ノズルが見えない状態であっても、容易にノズルを注出したい方向に向けることができる。
【００１１】
【実施例】
以下実施例により本発明を詳細に説明する。
図１は本発明による液体注出用容器の一実施例を示す断面説明図で、図２（ａ）は同実施例の中栓の上視説明図、図２（ｂ）は同実施例の中栓要部拡大説明図、図３は同実施例の中栓の下視説明図である。
【００１２】
〈実施例１〉
外キャップのドーム状部がノズル開口端を押圧着してノズルを閉塞するように構成した液体注出用容器の一例で、図１〜図３において、１０は容器本体、２０は中栓、３０は外キャップである。
【００１３】
容器本体（１０）は、胴部を押圧して容器本体を一度変形させ、押圧を解除したら速やかに元の形状に復帰するような材質で構成されていなければならず、例えば、ポリエチレン、ポリプロピレン、ポリエチレンテレフタレートおよびこれらの積層体等の熱可塑性樹脂によって成形されたものが好適に使用でき、また、中栓（２０）、外キャップ（３０）を構成する素材は、容器本体との装着を気密的に行うことが必要であることから、例えば、ポリエチレン、ポリプロピレン等の熱可塑性樹脂が好適に使用できる。
【００１４】
中栓（２０）を作製する際、前記熱可塑性樹脂に例えば無機顔料等の着色剤を添加して有色素材で作製し、外キャップ（３０）を透明または半透明素材で作製すると、外キャップ（３０）を透かして中栓（２０）が透視可能となる。
【００１５】
容器本体（１０）の上部には中栓（２０）および外キャップ（３０）を装着する口部（１１）が設けられている。
口部（１１）の端縁には中栓（２０）を装着させる係合部（１２）が設けられ、口部（１１）の外周面には外キャップ（３０）を螺着させる雄ネジ（１３）が設けられている。
【００１６】
中栓（２０）は、上端が半球状に閉塞された円筒形状のノズル支柱（２１）に、容器本体の軸線（ｙ）に対して斜め上方に傾斜する方向に延びるノズル（２２）と、ノズル支柱（２１）の末端から円盤状に外方に向けて広がる装着部（２３）と、ノズル（２２）直下でノズル支柱（２１）に周設されるすり鉢部（２７）とから成る。
ノズル先端のノズル開口端（２８）は、容器本体（１０）に外キャップ（３０）をしっかり装着した時、外キャップの傾斜内面がノズル開口端（２８）に密着するよう外キャップの傾斜内面に対応する傾斜面に形成されている。
【００１７】
装着部（２３）の端縁には、口部（１１）の外周面と係合させるための係合突起（２５）を有する周壁（２４）が垂設されている。
周壁（２４）の内方には、口部（１１）の内周面と嵌合される嵌合突起（２６）が設けられている。
【００１８】
ノズル開口端（２８）は、すり鉢部（２７）の端部より内側に入った位置に収納されており、ノズル開口端（２８）は、その中央に開口孔（２８ａ）が、その周囲にノズル開口周壁（２８ｂ）がそれぞれ設けられ、ノズル開口周壁（２８ｂ）の開口孔（２８ａ）より下部には、ノズル（２２）から出た収納液が、すり鉢部（２７）に入り易いように溝部（２８ｃ）が設けられている。
【００１９】
すり鉢部（２７）の下面、ノズル（２２）下方の部位には、ノズル（２２）の方向が判るように切り欠き（２９）が設けられている。
【００２０】
外キャップ（３０）は、ドーム形状の天面の下方に、中栓のすり鉢部（２７）の上端に当接する第１肩部（３２）と、この第１肩部（３２）の下方に中栓の装着部（２３）の上端に当接する第２肩部（３３）とを設けて成っている。
外キャップの第２肩部（３３）の下方内側には、口部（１１）の雄ネジ（１３）と螺着させるための雌ネジ（３１）が設けられている。
【００２１】
外キャップの開閉および収納液である洗浄薬剤の注出あるいは噴出はつぎのように行う。
すなわち、外キャップ（３０）をはずして、ノズル（２２）を洗浄薬剤を噴出する方向に向けて容器本体（１０）の胴部を押圧（スクイズ）すると、洗浄薬液はノズル（２２）から噴出する。ノズル（２２）は容器本体（１０）の軸線（ｙ）に対して斜め上方に傾斜する方向に設けられているので、例えば便器の内縁の回り込んだ部分等通常では洗浄薬液を噴出し難い個所でも、容易に洗浄することができる。  また、ノズル（２２）を下に向けて倒立状態で使用する際にも、すり鉢部（２７）のノズルのある位置の下部に切り欠き（２９）を設けたので、ノズル（２２）の方向を正しく決めることができる。容器本体（１０）の押圧（スクイズ）を止めれば、洗浄薬液の噴出は容易に止まる。
【００２２】
ノズル先端のノズル開口端（２８）は、外キャップ（３０）の傾斜内面と密に閉塞するように外キャップの傾斜内面と対応する傾斜面に形成されているので、外キャップ（３０）を閉蓋するとノズル開口端（２８）は、外キャップ（３０）の内面と密に閉蓋されて洗浄薬剤が漏れだすことはない。
ノズル（２２）直下にすり鉢部（２７）を設け、このすり鉢部（２７）の周縁を外キャップの第１肩部（３２）が押さえるので、外キャップ（３０）を回転させて外キャップ（３０）を締め付けて行く際、雄ネジ（１３）と雌ネジ（３１）との間に所定のガタ付きがあっても、外キャップ（３０）が振れることなく、外キャップ（３０）を容器本体（１０）に無理なく装着することができる。
ノズル開口端（２８）がすり鉢部（２７）の外端部より内側に位置し、かつ、ノズル開口周壁（２８ｂ）の、開口孔（２８ａ）の下に溝部（２８ｃ）が設けられているので、洗浄薬剤の噴出が終了する際等に洗浄薬剤が開口孔（２８ａ）から垂れ出したとしても、洗浄薬剤は溝部（２８ｃ）を伝わってすり鉢部（２７）に溜まり、容器本体（１０）に垂れ出ないので容器が汚れることがない。
【００２３】
〈実施例２〉
外キャップの内面に設けた凸リブリングが、ノズル開口端の凹部と密に嵌合してノズルを閉塞するように構成した液体注出用容器の一例で、図４〜図７において１０は容器本体、２０は中栓、３０は外キャップである。
【００２４】
容器本体（１０）は、実施例１と同様に、胴部を押圧して容器本体を一度変形させ、押圧を解除したら速やかに元の形状に復帰するような材質で構成されていなければならず、例えば、ポリエチレン、ポリプロピレン、ポリエチレンテレフタレートおよびこれらの積層体等の熱可塑性樹脂によって成形されたものが好適に使用でき、また、中栓（２０）、外キャップ（３０）を構成する素材は、容器本体との装着を気密的に行うことが必要であることから、例えば、ポリエチレン、ポリプロピレン等の熱可塑性樹脂が好適に使用できる。
【００２５】
中栓（２０）を作製する際、前記熱可塑性樹脂に例えば無機顔料等の着色剤を添加して有色素材で作製し、外キャップ（３０）を透明または半透明素材で作製すると、外キャップ（３０）を透かして中栓（２０）が透視可能となる。
【００２６】
容器本体（１０）の上部には中栓（２０）および外キャップ（３０）を装着する口部（１１）が設けられている。
口部（１１）の端縁には中栓（２０）を装着させる係合部（１２）が設けられ、口部（１１）の外周面には外キャップ（３０）を螺着させる雄ネジ（１３）が設けられている。
【００２７】
中栓（２０）は、上端が半球状に閉塞された円筒形状のノズル支柱（２１）に、容器本体の軸線（ｙ）に対して斜め上方に傾斜する方向に延びるノズル（２２）と、ノズル支柱（２１）の末端から円盤状に外方に向けて広がる装着部（２３）と、ノズル（２２）直下でノズル支柱（２１）に周設されるすり鉢部（２７）とから成る。
ノズル先端のノズル開口端（２８）は、容器本体（１０）に外キャップ（３０）をしっかり装着した時、外キャップの傾斜内面がノズル開口端（２８）に密着するよう外キャップの傾斜内面に対応する傾斜面に形成されていると共に、後記する外キャップの凸リブリング（３４）が、密に嵌合するように、開口孔（２８ａ）を横断する水平形状の凹部（２８ｄ）が設けられている。
【００２８】
装着部（２３）の端縁には、口部（１１）の外周面と係合させるための係合突起（２５）を有する周壁（２４）が垂設されている。
周壁（２４）の内方には、口部（１１）の内周面と嵌合される嵌合突起（２６）が設けられている。
【００２９】
ノズル開口端（２８）は、すり鉢部（２７）の外端部より内側に位置し、ノズル開口端（２８）は、その中央に開口孔（２８ａ）が、その周囲にノズル開口周壁（２８ｂ）がそれぞれ設けられ、ノズル開口周壁（２８ｂ）には、前記した開口孔（２８ａ）を横断する水平形状の凹部（２８ｄ）が設けられている。
【００３０】
すり鉢部（２７）の下面、ノズル（２２）下方の部位には、ノズル（２２）の方向が判るように切り欠き（２９）が設けられている。
【００３１】
外キャップ（３０）は、ドーム状の天面の下方に、中栓のすり鉢部（２７）の上端に当接する第１肩部（３２）と、この第１肩部（３２）の下方に中栓の装着部（２３）の上端に当接する第２肩部（３３）とを設けて成る。
外キャップの上部内面で、第１肩部（３２）の直上には、ノズル開口端（２８）の凹部（２８ｄ）に密に嵌合される凸リブリング（３４）が外キャップの上部内面全周に渡って設けられている。
外キャップの第２肩部（３３）の下方内側には、口部（１１）の雄ネジ（１３）と螺着させるための雌ネジ（３１）が設けられている。
【００３２】
外キャップの開閉および収納液である洗浄薬剤の注出あるいは噴出はつぎのように行う。
すなわち、外キャップ（３０）をはずして、ノズル（２２）を洗浄薬剤を噴出する方向に向けて容器本体（１０）の胴部を押圧（スクイズ）すると、洗浄薬液はノズル（２２）から噴出する。ノズル（２２）は容器本体（１０）の軸線（ｙ）に対して斜め上方に傾斜する方向に設けられているので、例えば便器の内縁の回り込んだ部分等通常では洗浄薬液を噴出し難い個所でも、容易に洗浄することができる。  また、ノズル（２２）を下に向けて倒立状態で使用する際にも、すり鉢部（２７）のノズルのある位置の下部に切り欠き（２９）を設けたので、ノズル（２２）の方向を正しく決めることができる。容器本体（１０）の押圧（スクイズ）を止めれば、洗浄薬液の噴出は容易に止まる。
【００３３】
ノズル先端のノズル開口端（２８）は、外キャップ（３０）の傾斜内面と密に閉塞するように外キャップの傾斜内面と対応する傾斜面に形成されていると同時に、外キャップの凸リブリング（３４）が、ノズル開口端（２８）の凹部（２８ｄ）に嵌合されるので、外キャップ（３０）を閉蓋すると開口孔（２８ａ）は、外キャップの凸リブリング（３４）と密に閉蓋されて洗浄薬剤が漏れだすことはない。
ノズル（２２）直下にすり鉢部（２７）を設け、このすり鉢部（２７）の周縁を外キャップの第１肩部（３２）が押さえるので、外キャップ（３０）を回転させて外キャップ（３０）を締め付けて行く際、雄ネジ（１３）と雌ネジ（３１）との間に所定のガタ付きがあっても、外キャップ（３０）が振れることなく、外キャップ（３０）を容器本体（１０）に無理なく装着することができる。
ノズル開口端（２８）がすり鉢部（２７）の外端部より内側に位置しているので、洗浄薬剤の噴出が終了する際等に洗浄薬剤が開口孔（２８ａ）から垂れ出したとしても、洗浄薬剤はノズル開口周壁（２８ｂ）を伝わってすり鉢部（２７）に溜まり、容器本体（１０）に垂れ出ないので容器が汚れることがない。
【００３４】
〈実施例３〉
外キャップの三条ねじを分割してなる凸リブがノズル開口端の凹部に密に係合して、ノズルを閉塞するように構成した液体注出用容器の一例で、図８〜図１１において５０は容器本体、６０は中栓、８０は外キャップである。
【００３５】
容器本体（５０）は、実施例１と同様に、胴部を押圧して容器本体を一度変形させ、押圧を解除したら速やかに元の形状に復帰するような材質で構成されていなければならず、例えば、ポリエチレン、ポリプロピレン、ポリエチレンテレフタレートおよびこれらの積層体等の熱可塑性樹脂によって成形されたものが好適に使用でき、また、中栓（６０）、外キャップ（８０）を構成する素材は、容器本体との装着を気密的に行うことが必要であることから、例えば、ポリエチレン、ポリプロピレン等の熱可塑性樹脂が好適に使用できる。
【００３６】
中栓（６０）を作製する際、前記熱可塑性樹脂に例えば無機顔料等の着色剤を添加して有色素材で作製し、外キャップ（８０）を透明または半透明素材で作製すると、外キャップ（８０）を透かして中栓（６０）が透視可能となる。
【００３７】
容器本体（５０）の上部には中栓（６０）を装着する口部（５１）が設けられている。
口部（５１）の外周面には中栓（６０）を螺着させる雄ネジ（５２）が設けられている。
【００３８】
中栓（６０）は、円筒形状のノズル支柱（６１）と、このノズル支柱の先端より容器本体の軸線（ｙ）に対し斜め上方に傾斜する方向に延びるノズル（６２）と、ノズル支柱（６１）の末端から円盤状に外方に向けて広がる装着部（６３）と、ノズル（６２）直下でノズル支柱（６１）に周設されるすり鉢部（６７）とから成る。
ノズル先端のノズル開口端（６８）は、容器本体（５０）に外キャップ（８０）をしっかり装着した時、外キャップの傾斜内面がノズル開口端（６８）に密着するよう外キャップの傾斜内面に対応する傾斜を有するようにしてあると共に、後記する外キャップの凸リブ（８４）が、密に嵌合するように、開口孔（６８ａ）を通って、ある傾斜を持って凹部（６８ｄ）が設けられている。
【００３９】
装着部（６３）の端縁には、口部（５１）に内嵌合される第１周壁（６４）が垂設されている。
第１周壁（６４）の外周面上方には、外キャップの三条雌ネジ（８１）と螺着される中栓三条雄ネジ（７０）が設けられている（本実施例の場合には、後記するようにノズル開口端の凹部（６８ｄ）が係合するので、三条ねじが必要になる）。
中栓三条雄ネジ（７０）の下方には、第１周壁（６４）から外方へＬ字状に突出する口部（５１）を覆うような第２周壁（６５）が設けられ、この第２周壁（６５）の内側には、口部の雄ネジ（５２）と螺着される中栓雌ネジ（７１）が設けられている。
【００４０】
すり鉢部（６７）のノズル（６２）が露出している部位の下部には、ノズル（６２）の方向が判るように切り欠き（６９）が設けられている。
【００４１】
外キャップ（８０）は、ドーム状の天面の下方に、中栓のすり鉢部（６７）の上に当接する第１肩部（８２）と、この第１肩部（８２）の下方に中栓の装着部（６３）に当接する第２肩部（８３）と、この第２肩部（８３）の下方に垂設された外キャップ周壁（８５）とを設けて成る。
外キャップの上部内面で、第１肩部（８２）の近傍、ドーム形状の天面との境界寄りには、複数個の凸リブ（８４）が設けられている。
外キャップ周壁（８５）の内側には、中栓三条雄ネジ（７０）と螺着される三条雌ネジ（８１）が設けられている。
【００４２】
外キャップの開閉および収納液である洗浄薬剤の注出あるいは噴出はつぎのように行う。
すなわち、外キャップ（８０）をはずして、ノズル（６２）を洗浄薬剤を噴出する方向に向けて容器本体（５０）の胴部を押圧（スクイズ）すると、洗浄薬液はノズル（６２）から噴出する。ノズル（６２）は容器本体（５０）の軸線（ｙ）に対して斜め上方に傾斜する方向に設けられているので、例えば便器の内縁の回り込んだ部分等通常では洗浄薬液を噴出し難い個所でも、容易に洗浄することができる。また、ノズル（６２）を下に向けて倒立状態で使用する際にも、すり鉢部（６７）のノズルのある位置の下部に切り欠き（６９）を設けたので、ノズル（６２）の方向を正しく決めることができる。容器本体（５０）の押圧（スクイズ）を止めれば、洗浄薬液の噴出は容易に止まる。
【００４３】
ノズル先端のノズル開口端（６８）は、外キャップ（８０）の傾斜内面と密に閉塞するように外キャップの傾斜内面と対応する傾斜を有していると同時に、外キャップの凸リブ（８４）が、ノズル開口端（６８）の凹部（６８ｄ）に係合されるので、外キャップ（８０）を閉蓋すると開口孔（６８ａ）は、外キャップの凸リブ（８４）と密に閉蓋されて洗浄薬剤が漏れだすことはない。
ノズル（６２）直下にすり鉢部（６７）を設け、このすり鉢部（６７）の周縁を外キャップの第１肩部（８２）が押さえるので、外キャップ（８０）を回転させて外キャップ（８０）を締め付けて行く際、中栓三条雄ネジ（７０）と三条雌ネジ（８１）との間に所定のガタ付きがあっても、外キャップ（８０）が振れることなく、外キャップ（８０）を容器本体（５０）に無理なく装着することができる。
ノズル開口端（６８）がすり鉢部（６７）の外端部より内側に位置しているので、洗浄薬剤の噴出が終了する際等に洗浄薬剤が開口孔（６８ａ）から垂れ出したとしても、洗浄薬剤はノズル開口周壁（６８ｂ）を伝わってすり鉢部（６７）に溜まり、容器本体（５０）に垂れ出ないので容器が汚れることがない。
【００４４】
【発明の効果】
上記のように本発明によれば、ノズル開口端をドーム形状天面に押圧着したり、ノズル開口端に凹部を設け、外キャップに形成した凸リブリングや三条ねじを分割してなる凸リブと係合させて開口孔を閉塞しているので、例え容器本体を倒しても、収納液がこぼれ出ることはない。
また、ノズル支柱にすり鉢部を設けたので、例えばトイレ用洗浄薬液等を容  器から注出した際、残液がノズル先端から垂れても、すり鉢部に溜まるのみで口部には垂れてこず、容器本体は常に清潔な状態を保つ。
さらに、外キャップに、すり鉢部の上に当接する第１肩部と鍔部の上に当接する第２肩部を設けたので、外キャップ螺着時において、口部の雄ネジと外キャップの雌ネジとの間に多少のガタ付きがあっても、外キャップは振れることなく、外キャップを容器本体に無理なく装着することができる。
さらにまた、すり鉢部の、ノズルが露出している部位の下部に切り欠きを設けたので、例えば、便器の内縁の回り込んだ部分等、ノズルを下に向けて倒立状態で使用する際でもノズルの方向を正しく決めることができる。
【図面の簡単な説明】
【図１】本発明の一実施例を示す断面説明図である。
【図２】（ａ）同実施例の中栓の上視斜視説明図である。
（ｂ）同実施例の中栓要部拡大説明図である。
【図３】同実施例の中栓の下視斜視説明図である。
【図４】本発明の別の実施例を示す断面説明図である。
【図５】同実施例の中栓の上視斜視説明図である。
【図６】同実施例の中栓の下視斜視説明図である。
【図７】同実施例の外キャップ断面の斜視説明図である。
【図８】さらに別の実施例を示す断面説明図である。
【図９】同実施例の中栓の上視斜視説明図である。
【図１０】同実施例の中栓の下視斜視説明図である。
【図１１】同実施例の外キャップ断面の斜視説明図である。
【図１２】従来例を示す断面説明図である。
【符号の説明】
１０‥‥容器本体
１１‥‥口部
１２‥‥係合部
１３‥‥雄ネジ
２０‥‥中栓
２１‥‥ノズル支柱
２２‥‥ノズル
２３‥‥装着部
２４‥‥周壁
２５‥‥係合突起
２６‥‥嵌合突起
２７‥‥すり鉢部
２８‥‥ノズル開口端
２８ａ‥開口孔
２８ｂ‥ノズル開口周壁
２８ｃ‥溝部
２８ｄ‥凹部
２９‥‥切り欠き
３０‥‥外キャップ
３１‥‥雌ネジ
３２‥‥第１肩部
３３‥‥第２肩部
３４‥‥凸リブリング
５０‥‥容器本体
５１‥‥口部
５２‥‥雄ネジ
６０‥‥中栓
６１‥‥ノズル支柱
６２‥‥ノズル
６３‥‥装着部
６４‥‥第１周壁
６５‥‥第２周壁
６７‥‥すり鉢部
６８‥‥ノズル開口端
６８ａ‥開口孔
６８ｂ‥ノズル開口周壁
６８ｄ‥凹部
６９‥‥切り欠き
７０‥‥中栓三条雄ネジ
７１‥‥中栓雌ネジ
８０‥‥外キャップ
８１‥‥三条雌ネジ
８２‥‥第１肩部
８３‥‥第２肩部
８４‥‥凸リブ
８５‥‥外キャップ周壁
１０１‥‥キャップ
１０２‥‥中栓
１０３‥‥雌ネジ
１０４‥‥ノズル
１０５‥‥内面
１０６‥‥キャップ本体
１０７‥‥容器本体
１０８‥‥雄ネジ
１０９‥‥ノズル先端の突堤
ｙ‥‥軸線
【図１】
0003541487.tif 000002
【図２】
0003541487.tif 000003
【図３】
0003541487.tif 000004
【図４】
0003541487.tif 000005
【図５】
0003541487.tif 000006
【図６】
0003541487.tif 000007
【図７】
0003541487.tif 000008
【図８】
0003541487.tif 000009
【図９】
0003541487.tif 000010
【図１０】
0003541487.tif 000011
【図１１】
0003541487.tif 000012
【図１２】
0003541487.tif 000013